(57)【要約】【課題】  本発明は、工具等を一切用いることなく、簡便な機構により、発光部材である光源や導光板を装置から容易に脱着して清掃及び交換等することができる照明装置の提供を目的とする。【解決手段】  本発明に係る照明装置は、外部から供給された電力により発光する光源と、前記光源に隣接して配設され、側面から入射された前記光源の光を導出させる主面を一面以上設けた導光板と、前記光源と前記導光板の外周を被覆して配設され、互いに係合する第１のフレーム及び第２のフレームから成る保持部材と、前記保持部材を着脱可能に収納し、筐体に取り付けられる収納部材とを有することを特徴とする。【選択図】  図３
2012049051.tif 000002
【特許請求の範囲】
【請求項１】
外部から供給された電力により発光する光源と、
前記光源に隣接して配設され、側面から入射された前記光源の光を導出させる主面を一面以上設けた導光板と、
前記光源と前記導光板の外周を被覆して配設され、互いに係合する第１のフレーム及び第２のフレームから成る保持部材と、
前記保持部材を着脱可能に収納し、筐体に取り付けられる収納部材とを有すること
を特徴とする照明装置。
【請求項２】
前記第１のフレームに、凸状の突起又は凹状の切欠が形成され、
前記第２のフレームに、前記凸状の突起又は前記凹状の切欠に連結される、凹状の切欠又は凸状の突起が形成されていること
を特徴とする請求項１に記載の照明装置。
【請求項３】
前記保持部材は、前記第１のフレーム、前記第２のフレーム、又は前記第１のフレーム及び前記第２のフレームが、前記光源又は前記導光板の外周を着脱可能に被覆して配設されていること
を特徴とする請求項１に記載の照明装置。
【請求項４】
前記保持部材は、前記第１のフレーム及び前記第２のフレームのいずれか一方又は両方に、前記光源に電力を供給する電線を通すための孔が形成されていること
を特徴とする請求項１に記載の照明装置。
【請求項５】
前記収納部材は、前記筐体に回動可能又は着脱可能に取り付けられること
を特徴とする請求項１に記載の照明装置。
【請求項６】
前記導光板の前記主面に、照射された光を拡散光として導出させる凹状又は凸状のパターンが形成されていること
を特徴とする請求項１に記載の照明装置。
【請求項７】
前記凹状又は凸状のパターンは、点状、線状、又はそれらの組み合わせから成ること
を特徴とする請求項６に記載の照明装置。
【請求項８】
前記凹状のパターンは、前記導光板の前記主面に対して前記側面から遠ざかる毎に深くなるように形成されていること
を特徴とする請求項６に記載の照明装置。
【請求項９】
前記凸状のパターンは、前記導光板の前記主面に対して前記側面から遠ざかる毎に高く隆起するように形成されていること
を特徴とする請求項６に記載の照明装置。
【発明の詳細な説明】
【技術分野】
【０００１】
本発明は、例えば建物の出入り口に隣接して設置され導光板を備えた照明装置に関する。
【背景技術】
【０００２】
従来、照明付き建具に関して、建築物の開口部に枠部材を介して設置された少なくとも１つのガラス板と、少なくとも１つのＬＥＤ光源を有する照明装置とを備える照明付き建具であって、ＬＥＤ光源が前記枠部材に設置され、該ＬＥＤ光源で発生した熱が前記枠部材に蓄熱されて放熱される照明付き建具の構成がある（例えば、特許文献１参照。）。
【０００３】
また、自動販売機の照明装置に関して、装置本体から商品サンプル室の背面板に向かって光を照射する発光部と、発光部と背面板との間に配置され発光部の光を透過することにより背面板に所定の表示対象を映し出す透光部材とを備えた照明装置の構成がある（例えば、特許文献２参照。）。
【先行技術文献】
【特許文献】
【０００４】
【特許文献１】特開２００７−２１７８７３号公報
【特許文献２】特開２００９−１６３６２９号公報
【発明の概要】
【発明が解決しようとする課題】
【０００５】
しかしながら、前述の様な構成では、発光部材が汚染又は破損等した場合に、該発光部材を専用の工具を用いて装置から脱着しなければならず、手間が掛かるという問題が有った。
【０００６】
そこで、本発明は前述の技術的な課題に鑑み、工具等を一切用いることなく、簡便な機構により、発光部材である光源や導光板を装置から容易に脱着して清掃及び交換等することができる照明装置の提供を目的とする。
【課題を解決するための手段】
【０００７】
前述の課題を解決すべく、本発明に係る照明装置は、外部から供給された電力により発光する光源と、前記光源に隣接して配設され、側面から入射された前記光源の光を導出させる主面を一面以上設けた導光板と、前記光源と前記導光板の外周を被覆して配設され、互いに係合する第１のフレーム及び第２のフレームから成る保持部材と、前記保持部材を着脱可能に収納し、筐体に取り付けられる収納部材とを有することを特徴とする。
【発明の効果】
【０００８】
本発明に係る照明装置によれば、工具等を一切用いることなく、簡便な機構により、発光部材である光源や導光板を装置から容易に着脱して清掃及び交換等することができる。
【図面の簡単な説明】
【０００９】
【図１】本発明の第１の実施形態に係る照明装置を例えば建物の出入り口に隣接して設置した状態を示す正面図である。
【図２】本発明の第１の実施形態に係る照明装置を例えば建物の出入り口に隣接した筐体に設置した状態を上面から示す断面図であり、（ａ）は照明装置の収納部材を筐体の内部に完全に挿入した状態を示す断面図、（ｂ）は照明装置の収納部材を回動させて筐体の内部から引き出した上で収納部材から導光板及び保持部材を一体に取り出す途中の状態を示す断面図である。
【図３】本発明の第１の実施形態に係る照明装置を構成する導光板及び保持部材を示す正面図である。
【図４】本発明の第１の実施形態に係る照明装置を構成する導光板及び保持部材の要部を示す正面図であり、（ａ）は導光板の上端及び光源に供給する電力を介する電源コネクタを通した保持部材の要部を示す正面図、（ｂ）は導光板の下端及び保持部材の要部を示す正面図である。
【図５】本発明の第１の実施形態に係る照明装置を構成する保持部材の要部を示す斜視図であり、（ａ）は保持部材を構成する凸状の突起に連結される凹状の切欠を設けた第２のフレームの要部を示す斜視図、（ｂ）は保持部材を構成する凸状の突起を設けた第１のフレームの要部を示す斜視図である。
【図６】本発明の第２の実施形態に係る照明装置を例えば建物の出入り口に隣接した筐体の内部に挿入して設置した状態を上面から示す断面図である。
【図７】本発明の第３の実施形態に係る照明装置を該照明装置の収納部材を回動させて例えば建物の出入り口に隣接した筐体の内部から引き出した上で収納部材から導光板及び保持部材を一体に取り出す途中の状態を上面から示す断面図である。
【図８】本発明の第３の実施形態に係る照明装置を構成する導光板を示す模式図であり、（ａ）は導光板の一主面を示す模式図、（ｂ）は導光板の側面を示す模式図、（ｃ）は導光板の一主面に対向して設けられた他主面を示す模式図である。
【図９】本発明の第３の実施形態に係る照明装置を構成する四角錐から成るパターンがマトリクス状に複数形成された導光板の一部を示す模式図である。
【図１０】本発明の第３の実施形態に係る照明装置を構成する導光板に形成された四角錐のパターンを示す模式図であり、（ａ）は該パターンを導光板の一主面から示す模式図、（ｂ）は該パターンを導光板の側面から示す模式図である。
【図１１】本発明の第３の実施形態に係る照明装置を構成する導光板と該導光板の側面に設けられた光源をそれぞれ断面で示す模式図であり、（ａ）は均等な深さの凹状のパターンが主面の片側に複数形成された導光板と該導光板の側面の片側に設けられた光源を示す模式図、（ｂ）は均等な深さの凹状のパターンが主面の両側に複数形成された導光板と該導光板の側面の片側に設けられた光源を示す模式図、（ｃ）は異なる深さの凹状のパターンが主面の両側に複数形成された導光板と該導光板の側面の片側に設けられた光源を示す模式図、（ｄ）は異なる深さの凹状のパターンが主面の両側に複数形成された導光板と該導光板の側面の両側に設けられた光源を示す模式図である。
【発明を実施するための形態】
【００１０】
以下、本発明の照明装置に係る好適な実施形態について、図面を参照しながら説明する。なお、本発明の照明装置は、以下の記述に限定されるものではなく、本発明の要旨を逸脱しない範囲において、適宜変更可能である。
【００１１】
また、以下の説明においては、最初に本発明の第１の実施形態の照明装置１について図１乃至図５を参照しながら説明する。次に本発明の第２の実施形態の照明装置２について図６を参照しながら説明する。次に本発明の第３の実施形態の照明装置３について図７乃至図１１を参照しながら説明する。次に本発明の第３の実施形態の照明装置３にそれぞれ配設される導光板の製造方法について説明する。最後に本願発明に係る第１乃至第３の実施形態の各照明装置の構成と主な作用効果について請求項毎に説明する。
【００１２】
［第１の実施形態］
以下、本発明の第１の実施形態の照明装置１について、図１乃至図５を参照しながら、具体的に説明する。
【００１３】
第１の実施形態の照明装置１は、図２に示すように、光源１０、導光板２０、保持部材５０、及び収納部材６０から構成される。この様な照明装置１は、図１に示すように、例えば建物Ａの出入り口Ｅに隣接して設置される。以下、照明装置１の各構成について順に説明する。
【００１４】
第１の実施形態の照明装置１を構成する光源１０は、例えば図２に示すように、外部から供給された電力により発光する。この様な光源１０は、例えば白色で発光する発光ダイオード(ＬＥＤ：Ｌｉｇｈｔ Ｅｍｉｔｔｉｎｇ Ｄｉｏｄｅ)から成る。なお、光源１０は、白色のＬＥＤに限定されることはなく、例えば白色、赤色、橙色、黄色、緑色、青色、藍色、又は紫色のいずれかの色、若しくはそれらの色の組み合わせから成るＬＥＤで構成しても良い。また、光源１０は、例えば紫外域の光を発するＬＥＤで構成しても良い。同様に、光源１０は、例えば有機発光ダイオード、蛍光管、冷陰極管、又はネオン管で構成しても良い。また、光源１０を所定の配列により実装するための基板を設けても良い。該基板には、例えば軽量で一定の強度を有するアルミニウムや放熱性に優れた銅を用いた金属板、又は加工性に優れたガラスエポキシ基板を用いる。なお、光源１０は、例えば図３又は図４に示す電源コネクタ１１を介して、コンセントや発電機等の外部から供給された電力により、所定の光量で発光する。
【００１５】
また、光源１０に関し、光源１０に図示せぬ照度センサを接続して、該照度センサで計測された照度に基づき、照明装置１の周辺の照度が一定値に満たない場合にのみ、光源１０を点灯させる構成としても良い。また、照明装置１の周辺の照度が一定値になるように、照度センサで計測された照度に基づき、光源１０に印加する電力を可変する構成としても良い。同様に、例えば季節に応じて予め設定しておいた時間帯にのみ、光源１０を点灯させる構成としても良い。なお、光源１０を、後述する導光板２０の側面の両側に配設しておき、片方の光源１０のみ点灯させて使用した上でその光源１０が故障等で消灯した場合、新しい光源１０を入手する迄の間は、もう一方の光源１０を点灯させる構成としても良い。
【００１６】
第１の実施形態の照明装置１を構成する導光板２０は、例えば図３に示すように、光源１０に隣接して配設され、側面から入射された光源１０の光を導出させる主面を一面以上設けている。また、例えば、導光板２０の側面の片側又は両側に光源１０が隣接して配設される。この様な導光板２０の材質は、例えば透明又は所定の色に着色したアクリル樹脂から成る。また、導光板２０の材質には、例えば可視域の光を照射されることにより拡散光を発する微粒子状の拡散部材を添加した樹脂を用いても良い。同様に、導光板２０の材質には、例えば紫外域や可視域の光を照射されることにより蛍光を発する蛍光剤を塗布又は添加した樹脂を用いても良い。また、この様な導光板２０の形状は、図３に示すように矩形状から成る。なお、導光板２０は、照明装置１の形状に合わせて隣接して複数設けても良い。また、導光板２０には、防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００１７】
第１の実施形態の照明装置１を構成する保持部材５０は、例えば図３乃至図５に示すように、光源１０と導光板２０の外周を被覆して配設され、互いに係合する第１のフレーム及３０び第２のフレーム４０から成る。また、第１のフレーム３０は、図５（ｂ）に示すように、例えば軽量で一定の強度を有する酸化被膜を設けたアルミニウムから成り、断面がコの字状で棒状から形成されている。ここで、第１のフレーム３０の両端には、例えば凸状の突起３１が形成されている。また、第２のフレーム４０は、図５（ａ）に示すように、第１のフレーム３０と同様に、例えば軽量で一定の強度を有する酸化被膜を設けたアルミニウムから成り、断面がコの字状で棒状から形成されている。ここで、第２のフレーム４０の両端の側面には、例えば凹状の切欠４１が形成されている。また、図３及び図４に示すように、第１のフレーム３０の突起３１が、第２のフレーム４０の切欠４１に連結される。なお、第１のフレーム３０に凹状の切欠を形成し、第２のフレーム４０に凸状の突起を形成した上で、第１のフレーム３０及び第２のフレーム４０を係合させる構成としても良い。上記の構成により、保持部材５０は、図２に示すように、光源１０及び導光板２０を一体にした状態で、第１のフレーム３０の内壁３２と第２のフレーム４０の内壁４２を光源１０及び導光板２０の外周に当接させて、光源１０及び導光板２０の外周を被覆することができる。なお、図２では、第１のフレーム３０の内壁３２に光源１０を納めている。
【００１８】
また、保持部材５０に関し、第１のフレーム３０の内壁３２と第２のフレーム４０の内壁４２を、光源１０及び導光板２０の外周に当接させて保持する構成であることから、例えば光源１０や導光板２０が汚染又は破損した場合には、工具等を一切用いることなく、光源１０や導光板２０を容易に清掃又は交換することができる。また、保持部材５０は、第１のフレーム３０及び第２のフレーム４０のいずれか一方又は両方に、光源１０に電力を供給する電線を通すための孔を形成しても良い。
【００１９】
第１の実施形態の照明装置１を構成する収納部材６０は、例えば図２に示すように、保持部材５０を着脱可能に収納し、筐体Ｍに取り付けられる。この様な収納部材６０は、例えばステンレスから成り、導光板２０及び保持部材５０を収納する収納部６１を内部に備えた箱状から形成されている。また、収納部６１には、光源１０に電力を供給する電線を通すための例えば長孔から成る配線孔６２が開口されている。なお、該配線孔６２に対応した配線孔Ｍ５が、筐体Ｍの他端部Ｍ２に設けられている。また、収納部材６０の一端には、筐体Ｍの他端部Ｍ２と回動可能に係合し蝶番等から成る回動部６３が配設されている。また、例えば筐体Ｍの一端部Ｍ１に、鍵６４が配設されている。ここで、該鍵６４を開鍵すると、収納部材６０及び一端部Ｍ１の間に設けられた図示せぬ固定機構が解除され、収納部材６０を、他端部Ｍ２に配設された回動部６３を中心に回動させることができる。
【００２０】
また、収納部材６０に関し、例えば図２（ａ）に示すように導光板２０と並列して、該導光板２０を保護する例えば強化ガラス６５を設けても良い。また、強化ガラス６５には、図示せぬ所定の情報が印刷された表示フィルム６６を当接させて設けても良い。また、強化ガラス６５は、例えば皿ビスから成る押縁６７により、収納部材６０に着脱可能に固定される。ここで、図２では、照明装置１を、例えば建物Ａの出入り口Ｅに隣接した筐体Ｍに設置した状態を断面で上面から示している。具体的には、図２（ａ）に、照明装置１の収納部材６０を、筐体Ｍの内部に完全に挿入した状態を上面から示している。また、図２（ｂ）に、照明装置１の収納部材６０を、回動部６３を中心に回動させて筐体Ｍの内部から引き出した上で、収納部材６０から導光板２０及び保持部材５０を一体に取り出す途中の状態を上面から示している。なお、例えば筐体Ｍにも、強化ガラスＭ３を押縁Ｍ４で固定して設けても良い。  
【００２１】
以上、第１の実施形態に係る照明装置１によれば、該照明装置１の導光板２０から導出される光を用いて、例えば図１に示す建物Ａの出入り口Ｅの周囲を照明することができる。ここで、図４（ａ）に示すように、第１のフレーム３０の突起３１と第２のフレーム４０の切欠４１が連結されて導光板２０の外周が被覆された状態であり、図２（ｂ）に示すように、照明装置１の収納部材６０を回動部６３を中心に回動させて筐体Ｍの内部から引き出し、収納部材６０から光源１０及び導光板２０が保持された保持部材５０を一体に取り出すことができる。したがって、例えば導光板２０が汚染又は破損した場合に、工具等を一切用いることなく、光源１０や導光板２０を容易に清掃又は交換することができる。
【００２２】
［第２の実施形態］
以下、本発明の第２の実施形態の照明装置２について、図６を参照しながら、具体的に説明する。
【００２３】
なお、本発明の第２の実施形態の照明装置２は、照明装置２の収納部材７０を回動させずに着脱させて筐体Ｎの内部から引き出すことに特徴を有している。また、それ以外の第２の実施形態に係る構成は、図６に示すように第１の実施形態で述べた構成と同様である。そこで、第２の実施形態においては、第１の実施形態とは異なる収納部材７０について中心に説明する。
【００２４】
第２の実施形態の照明装置２を構成する収納部材７０は、図６に示すように、光源部１０と導光板２０を保持した保持部材５０を着脱可能に収納し、筐体Ｎに取り付けられる。この様な収納部材７０は、例えばステンレスから成り、保持部材５０を収納する収納部７１を内部に備えた箱状から形成されている。また、収納部７１には、光源１０に電力を供給する電線を通すための例えば長孔から成る配線孔７２が開口されている。また、導光板２０と並列して、該導光板２０を保護する例えば強化ガラス７５を設けても良い。また、強化ガラス７５には、図示せぬ所定の情報が印刷された表示フィルム７６を当接させて設けても良い。また、強化ガラス７５は、例えば皿ビスから成る押縁７７により、収納部材７０に着脱可能に固定される。ここで、図６では、照明装置２を、例えば建物Ａの出入り口Ｅに隣接した筐体Ｎの内部に挿入して設置した状態を断面で上面から示している。
【００２５】
以上、第２の実施形態に係る照明装置２によれば、前述した第１の実施形態に係る照明装置１と同様の作用効果を得ることができる。さらに、第２の実施形態に係る照明装置２によれば、照明装置２の収納部材７０を回動させずに着脱させて筐体Ｎの内部から引き出す構造であり、照明装置２に可動部分が無いことから、収納部材７０を廉価に製造することができ、且つ収納部材７０を筐体Ｎの内部から引き出したり筐体Ｎの内部に挿入する場合に故障等を発生させ難くすることができる。
【００２６】
［第３の実施形態］
以下、本発明の第３の実施形態の照明装置３について、図７乃至図１１を参照しながら、具体的に説明する。
【００２７】
なお、本発明の第３の実施形態の照明装置３は、導光板８０乃至導光板１２０の主面に凹状又は凸状のパターンが形成されていることに特徴を有している。また、それ以外の第３の実施形態に係る構成は、図７に示すように第１の実施形態で述べた構成と同様である。そこで、第３の実施形態においては、第１の実施形態とは異なる導光板８０乃至導光板１２０について中心に説明する。
【００２８】
第３の実施形態の照明装置３を構成する導光板は、例えば図８及び図１１（ａ）に示すように、導光板８０の主面に、照射された光を拡散光として導出させる凹状のパターン８４が形成されている。具体的には、図８に導光板８０の一主面８１に、例えば凹状のパターン８４が形成された導光板８０を示しており、さらに図８（ａ）に導光板８０の一主面８１を示し、図８（ｂ）に導光板８０の側面８３を示し、図８（ｃ）に導光板８０の一主面８１に対向して設けられた他主面８２を示している。また、パターン８４は、導光板８０の一主面８１に、それぞれ例えば１ｍｍから６ｍｍの間隔でマトリクス状に形成されている。ここで、導光板８０の一主面８１に形成されたパターン８４の密度が十分に高ければ、複数のパターン８４で発生した複数の拡散光の大部分は、略均一な面発光の光として導光板８０の他主面８２から導出される。
【００２９】
また、導光板の構成に関し、図８では、発明の理解を容易にするために、導光板８０の一主面８１に形成された凹状のパターン８４の大きさを誇張して図示している。具体的には、パターン８４の表面積は、一主面８１に直交した方向から視認した場合、導光板８０の一主面８１全体の表面積と比較して、十分に小さい。ここで、パターン８４を、導光板８０の一主面８１の内部に対して深く形成すれば、一主面８１に直交した方向から視認した場合のパターン８４の表面積が小さくても、拡散光を発生させる反射面の面積を十分に備えている。したがって、上記のような構成の導光板８０によれば、一主面８１に直交した方向から視認した場合のパターン８４の表面積が小さくても、側面８３から入射された光源１０の光を、一主面８１に形成されたパターン８４で効率良く拡散光に変換させて、他主面８２から導出させることができる。
【００３０】
ここで、導光板の構成に関し、図９及び図１０に示す導光板９０のように、四角錐から成る凹状のパターンが、最下部に矩形状から成る面を有することにより、拡散光を一主面９１及び他主面９２から効率良く導出させることができる。具体的には、側面９３から入射された光の一部は、例えば一主面９１に形成された一主面側パターン９５の最下部９５Ａに照射され、側面９３から遠ざかる方向であり且つ他主面９２側に反射される。同様に、側面９３から入射された光の一部は、例えば他主面９２側に形成された他主面側パターン９６の最下部９６Ａに照射され、側面９３から遠ざかる方向であり且つ一主面９１側に反射される。したがって、側面９３から入射された光を、より効率良く拡散光に変換して、一主面９１及び他主面９２から導出させることができる。また、もし凹状のパターンが純粋な四角錐形状である場合、該四角錐の最下部の近傍で発生した拡散光は、その先端部分における一面９５Ｂから対向する他面９５Ｃまでの距離が極めて短いことから、最下部の近傍での多重反射により拡散光が大きく減衰し、一主面９１又は他主面９２から直接導出されない。一方、凹状のパターンが四角錐の最下部に矩形状から成る面を有する場合、該四角錐の最下部の近傍で発生した拡散光は、最下部の近傍における一面９５Ｂから対向する他面９５Ｃの間に一定の距離があるため、多重反射される前に一主面９１又は他主面９２から直接導出される。したがって、側面９３から入射された光をより効率良く主面から導出させることができる。
【００３１】
また、導光板の構成に関し、図１１（ｂ）に示す導光板１００の様に、パターン１０４を、導光板１００の一主面１０１と他主面１０２に対して対面非同一に形成すると、対面同一に形成した場合と比較して、導光板１００の一主面１０１又は他主面１０２から視認可能なパターン１０４の総数が増加するため、導光板１００から導出される拡散光の明暗の差が小さくなる。
【００３２】
同様に、導光板の構成に関し、図１１（ｃ）に示す導光板１１０の様に、導光板１１０の一主面１１１と他主面１１２に形成するパターン１１４の深さを、導光板１１０の側面１１３から遠ざかる毎に、相対的に深くする構成としても良い。この様にパターン１１４の深さを深くすると、該パターン１１４の表面積が増加することから、相対的に大きな拡散光が発生する。一方、光源１０の光の強度は、導光板１１０の側面１１３から遠ざかる毎に減衰して、相対的に低下する。したがって、上記の様な構成にすることにより、導光板１１０の一主面１１１と他主面１１２から導出される拡散光の強度を、導光板１１０の側面１１３からの距離に寄らず、平均化させることができる。
【００３３】
同様に、導光板の構成に関し、図１１（ｄ）に示す導光板１２０の様に、導光板１２０の一主面１２１と他主面１２２に形成するパターン１２４の深さを、導光板１２０の両端に設けられた側面１２３から中心に向かって、相対的に深くする構成としても良い。この様にパターン１２４の深さを深くすると、該パターン１２４の表面積が増加することから、導光板１２０の両端では相対的に小さな拡散光が発生し、導光板１２０の中心では相対的に大きな拡散光が発生する。一方、光源１０の光の強度は、導光板１２０の両端に設けられた側面１２３から中心に向かう毎に減衰して、相対的に低下する。したがって、上記の様な構成にすることにより、導光板１２０の一主面１２１と他主面１２２から導出される拡散光の強度を、導光板１２０の側面１２３からの距離に寄らず、平均化させることができる。特に、上記の様な構成は、導光板１２０の両端に設けられた側面１２３の間の距離が長い場合に有効である。
【００３４】
なお、導光板の構成に関し、図示せぬ導光板の一主面と他主面に形成する凸状のパターンの高さを、導光板の側面から遠ざかる毎に、相対的に高くする構成としても良い。同様に、図示せぬ導光板の一主面と他主面に形成する凹状又は凸状のパターンの間隔を、導光板の側面から遠ざかる毎に、相対的に密にする構成としても良い。上記の様な構成にすることでも、導光板の一主面と他主面から導出される拡散光の強度を平均化させることができる。
【００３５】
また、導光板の構成に関し、導光板の主面に、凹状又は凸状のパターンを、例えば点状、線状、又はそれらの組み合わせから形成しても良い。同様に、凹状又は凸状のパターンは、複数設けられた導光板の中の一部の導光板にのみ形成しても良い。また、導光板は、上述した矩形状に限定されることはなく、例えば半球形状や多面体形状としても良い。また、導光板９０には、防水、防汚、及び防塵等の機能を有した図示せぬシリコーンコーティング剤又は硝子コーティング剤を塗布、もしくは防水、防汚、及び防塵等の機能を有した図示せぬ透明樹脂を被覆しても良い。
【００３６】
以上、第３の実施形態に係る照明装置３によれば、前述した第１の実施形態に係る照明装置１と同様の作用効果を得ることができる。さらに、第３の実施形態に係る照明装置３によれば、例えば図８及び図１１（ａ）に示すように、導光板８０の主面に対して凹状のパターン８４を形成することにより、複数のパターン８４で発生した複数の拡散光を、略均一な面発光の光として導光板８０から導出させることができる。したがって、照明装置３の導光板８０から導出される眩しさが抑制された拡散光を用いて、例えば図１に示す建物Ａの出入り口Ｅの周囲を照明することができる。
【００３７】
また、第３の実施形態に係る照明装置３によれば、導光板８０の主面に凹状又は凸状のパターンを、例えば点状、線状、又はそれらの組み合わせから形成することができる。したがって、照明装置３の導光板８０から導出される強度や配光特性が最適化された拡散光を用いて、例えば図１に示す建物Ａの出入り口Ｅの周囲を照明することができる。
【００３８】
同様に、第３の実施形態に係る照明装置３によれば、例えば図１１（ｃ）に示すように、導光板１１０の一主面１１１と他主面１１２に形成するパターン１１４の深さを、導光板１１０の側面１１３から遠ざかる毎に相対的に深くすることにより、導光板１１０の一主面１１１と他主面１１２から導出される拡散光の強度を、導光板１１０の側面１１３からの距離に寄らず、平均化させることができる。したがって、照明装置３の導光板１１０から導出される眩しさが抑制された拡散光を用いて、例えば図１に示す建物Ａの出入り口Ｅの周囲を均一に照明することができる。
【００３９】
同様に、第３の実施形態に係る照明装置３によれば、例えば図１１（ｄ）に示すように、導光板１２０の一主面１２１と他主面１２２に形成するパターン１２４の深さを、導光板１２０の両端に設けられた側面１２３から中心に向かって相対的に深くすることにより、導光板１２０の一主面１２１と他主面１２２から導出される拡散光の強度を、導光板１２０の側面１２３からの距離に寄らず、平均化させることができる。したがって、導光板１２０の両端に設けられた側面１２３の間の距離が長い場合でも、照明装置３の導光板１２０から導出される眩しさが抑制された拡散光を用いて、例えば図１に示す建物Ａの出入り口Ｅの周囲を均一に照明することができる。
【００４０】
また、第３の実施形態に係る照明装置３によれば、図示せぬ導光板の一主面と他主面に形成する凸状のパターンの高さを導光板の側面から遠ざかる毎に相対的に高くしたり、図示せぬ導光板の一主面と他主面に形成する凹状又は凸状のパターンの間隔を導光板の側面から遠ざかる毎に相対的に密にすることにより、導光板の一主面と他主面から導出される拡散光の強度を平均化させることができる。したがって、照明装置３の導光板から導出される眩しさが抑制された拡散光を用いて、例えば図１に示す建物Ａの出入り口Ｅの周囲を均一に照明することができる。
【００４１】
次に、本発明の第３の実施形態の照明装置３にそれぞれ配設される導光板８０乃至導光板１２０の製造方法について、具体的に説明する。
【００４２】
導光板８０乃至導光板１２０の製造方法には、例えば超音波加工、加熱加工、切削加工、レーザ加工、成型加工、及びシルク印刷加工を用いることができる。以下、各製造方法について説明する。超音波加工では、導光板８０乃至導光板１２０の主面に当接させた超音波加工用ホーンの超音波の振動を用いて、導光板８０乃至導光板１２０の主面を部分的に溶融させることにより、該主面に凹状のパターンを形成する。また、加熱加工では、導光板８０乃至導光板１２０の主面に当接させた加工具の熱を用いて、導光板８０乃至導光板１２０の主面を部分的に溶融させることにより、該主面に凹状のパターンを形成する。同様に、切削加工では、導光板８０乃至導光板１２０の主面に当接しながら回転又は付勢させた切削工具を用いて、導光板８０乃至導光板１２０の主面を部分的に削り取ることにより、該主面に凹状のパターンを形成する。同様に、レーザ加工では、導光板８０乃至導光板１２０の主面に集光させたレーザ光の熱を用いて、導光板８０乃至導光板１２０の主面を部分的に溶融させることにより、該主面に凹状のパターンを形成する。同様に、成型加工では、成型する導光板８０乃至導光板１２０の外形形状を反映させた形状を金型の内部に形成し、例えば射出成型機に装着した金型に対して加熱して軟化させた樹脂を注入してから、該樹脂を冷却させることにより、導光板８０乃至導光板１２０の主面に凹状のパターン、凸状のパターン、又は凹状及び凸状のパターンを形成する。
【００４３】
また、導光板８０乃至導光板１２０の製造方法に関し、シルク印刷加工では、導光板８０乃至導光板１２０の主面に対して所定の孔が開口した版を当接させ、孔を介して硬化性の樹脂を主面に付着させて、該主面を部分的に樹脂で被覆させることにより、該主面に凸状のパターンを形成する。また、成型加工又はシルク印刷加工に用いる導光板８０乃至導光板１２０の基材である樹脂に、例えば拡散光を発する微粒子状の拡散部材を添加しても良い。同様に、上述した超音波加工、加熱加工、切削加工、又はレーザ加工を行う導光板８０乃至導光板１２０の基材である樹脂に、例えば拡散光を発する微粒子状の拡散部材を添加したものを用いても良い。なお、上述した超音波加工、加熱加工、切削加工、レーザ加工、成型加工、及びシルク印刷加工を組み合わせて導光板８０乃至導光板１２０を形成しても良い。具体的には、例えば成型加工により導光板８０乃至導光板１２０の外形形状のみを形成した上で、例えば超音波加工により導光板８０乃至導光板１２０の主面に凹状のパターンを形成しても良い。同様に、例えば成型加工により導光板８０乃至導光板１２０の外形形状のみを形成した上で、例えばシルク印刷加工により導光板８０乃至導光板１２０の主面に凸状のパターンを形成しても良い。
【００４４】
最後に、本願発明に係る第１乃至第３の実施形態の各照明装置の構成と主な作用効果について、請求項毎に具体的に説明する。
【００４５】
請求項１に記載の照明装置１は、外部から供給された電力により発光する光源１０と、光源１０に隣接して配設され、側面から入射された光源１０の光を導出させる主面を一面以上設けた導光板２０と、光源１０と導光板２０の外周を被覆して配設され、互いに係合する第１のフレーム３０及び第２のフレーム４０から成る保持部材５０と、保持部材５０を着脱可能に収納し、筐体に取り付けられる収納部材６０とを有することを特徴としている。
【００４６】
この様な請求項１の構成によれば、照明装置１の導光板２０から導出される光を用いて、例えば図１に示す建物Ａの出入り口Ｅの周囲を照明することができる。また、図２（ｂ）に示すように、照明装置１の収納部材６０を回動部６３を中心に回動させて筐体Ｍの内部から引き出し、収納部材６０から保持部材５０を一体に取り出すことができる。したがって、例えば光源１０や導光板２０が汚染又は破損した場合に、工具等を一切用いることなく、光源１０や導光板２０を容易に清掃又は交換することができる。
【００４７】
請求項２に記載の照明装置１は、請求項１に従属し、第１のフレーム３０に、凸状の突起３１又は凹状の切欠が形成され、第２のフレーム４０に、凸状の突起３１又は凹状の切欠に連結される、凹状の切欠４１又は凸状の突起が形成されていることを特徴としている。
【００４８】
この様な請求項２の構成によれば、図４（ａ）に示すように、例えば第１のフレーム３０の突起３１と例えば第２のフレーム４０の切欠４１が係合され、光源１０と導光板２０の外周が被覆された状態で、図２（ｂ）に示すように、照明装置１の収納部材６０を回動部６３を中心に回動させて筐体Ｍの内部から引き出し、収納部材６０から導光板２０及び保持部材５０を一体に取り出すことができる。
【００４９】
請求項３に記載の照明装置１は、請求項１に従属し、保持部材５０は、第１のフレーム３０、第２のフレーム４０、又は第１のフレーム３０及び第２のフレーム４０が、光源１０又は導光板２０の外周を着脱可能に被覆して配設されていることを特徴としている。
【００５０】
この様な請求項３の構成によれば、第１のフレーム３０の内壁３２と第２のフレーム４０の内壁４２を、光源１０又は導光板２０の外周に当接させて保持する構成であることから、例えば光源１０や導光板２０が汚染又は破損した場合には、工具等を一切用いることなく、光源１０や導光板２０を容易に清掃又は交換することができる。
【００５１】
請求項４に記載の照明装置１は、請求項１に従属し、保持部材５０に、第１のフレーム３０及び第２のフレーム４０のいずれか一方又は両方に、光源１０に電力を供給する電線を通すための孔が形成されていることを特徴としている。
【００５２】
この様な請求項４の構成によれば、例えば図２（ｂ）に示すように、照明装置１の収納部材６０を回動部６３を中心に回動させて筐体Ｍの内部から引き出した時に、光源１０に電力を供給する電線を破断することなく保護することができる。
【００５３】
請求項５に記載の照明装置１又は照明装置２は、請求項１に従属し、収納部材６０が筐体Ｍに回動可能に取り付けられ、又は収納部材７０が筐体Ｎに着脱可能に取り付けられることを特徴としている。
【００５４】
この様な請求項５の構成によれば、照明装置を設置する環境、照明装置の製造に掛かるコスト、又は照明装置の取り扱う人の好み等に応じて、収納部材の仕様を任意に選択することができる。
【００５５】
請求項６に記載の照明装置３は、請求項１に従属し、導光板８０乃至導光板１２０の主面に、照射された光を拡散光として導出させる凹状又は凸状のパターンが形成されていることを特徴としている。
【００５６】
この様な請求項６の構成によれば、複数のパターンで発生した複数の拡散光を、略均一な面発光の光として導光板８０乃至導光板１２０から導出させることができる。したがって、照明装置３の導光板８０乃至導光板１２０から導出される眩しさが抑制された拡散光を用いて、例えば図１に示す建物Ａの出入り口Ｅの周囲を照明することができる。
【００５７】
請求項７に記載の照明装置３は、請求項６に従属し、凹状又は凸状のパターンが、点状、線状、又はそれらの組み合わせから成ることを特徴としている。
【００５８】
この様な請求項７の構成によれば、照明装置３の導光板８０乃至導光板１２０から導出される強度や配光特性が最適化された拡散光を用いて、例えば図１に示す建物Ａの出入り口Ｅの周囲を照明することができる。
【００５９】
請求項８に記載の照明装置３は、請求項６に従属し、凹状のパターンが、導光板１１０又は導光板１２０の主面に対して側面から遠ざかる毎に深くなるように形成されていることを特徴としている。
【００６０】
この様な請求項８の構成によれば、例えば図１１（ｃ）に示すように、導光板１１０の一主面１１１と他主面１１２に形成するパターン１１４の深さを、導光板１１０の側面１１３から遠ざかる毎に相対的に深くすることにより、導光板１１０の一主面１１１と他主面１１２から導出される拡散光の強度を、導光板１１０の側面１１３からの距離に寄らず、平均化させることができる。したがって、照明装置３の導光板１１０から導出される眩しさが抑制された拡散光を用いて、例えば図１に示す建物Ａの出入り口Ｅの周囲を照明することができる。
【００６１】
請求項９に記載の照明装置３は、請求項６に従属し、凸状のパターンが、導光板の主面に対して側面から遠ざかる毎に高く隆起するように形成されていることを特徴としている。
【００６２】
この様な請求項９の構成によれば、請求項８と同様に、導光板の一主面と他主面から導出される拡散光の強度を平均化させることができる。したがって、照明装置３の導光板から導出される眩しさが抑制された拡散光を用いて、例えば図１に示す建物Ａの出入り口Ｅの周囲を照明することができる。
【符号の説明】
【００６３】
１，２，３  照明装置
１０  光源
１１  電源コネクタ
２０，８０，９０，１００，１１０，１２０  導光板
８１，９１，１０１，１１１，１２１  一主面
８２，９２，１０２，１１２，１２２  他主面
８３，９３，１０３，１１３，１２３  側面
８４，１０４，１１４，１２４  パターン
９５  一主面側パターン
９５Ａ  最下部
９６  他主面側パターン
９６Ａ  最下部
９５Ｂ  一面
９５Ｃ  他面
３０  第１のフレーム
３１  突起
３２  内壁
４０  第２のフレーム
４１  切欠
４２  内壁
５０  保持部材
６０，７０  収納部材
６１，７１  収納部
６２，７２  配線孔
６３  回動部
６４  鍵
６５，７５  強化ガラス
６６，７６  表示フィルム
６７，７７  押縁
Ａ  建物
Ｅ  出入り口
Ｍ，Ｎ  筐体
Ｍ１，Ｎ１  一端部
Ｍ２，Ｎ２  他端部
Ｍ３，Ｎ３  強化ガラス
Ｍ４，Ｎ４  押縁
Ｍ５  配線孔
【図１】
2012049051.tif 000003
【図２】
2012049051.tif 000004
【図３】
2012049051.tif 000005
【図４】
2012049051.tif 000006
【図５】
2012049051.tif 000007
【図６】
2012049051.tif 000008
【図７】
2012049051.tif 000009
【図８】
2012049051.tif 000010
【図９】
2012049051.tif 000011
【図１０】
2012049051.tif 000012
【図１１】
2012049051.tif 000013